(57)【要約】【課題】潅水設備の設置や緑化製品の固定が困難な急勾配でオーバーハングのあるモルタル法面や垂直な擁壁面等でも施工が可能で、雨水の簡易給水器具を配備して、短期間で緑化することが可能な緑化工法の提供。【解決手段】植生マット上に一定間隔に植生土納袋を収納する収納部を設けた植生土納袋収納帯付植生マット体をモルタル法面やコンクリート構築物壁面の適所に予め打設した固定具に固定し、植生土納袋収納部に植生基盤土を詰め込んだ植生土納袋を収納し、この植生土納袋にツタ・セダム苗等を植栽するとともにマット体にセダム苗を植栽し、該植生土納袋収納帯付植生マット体の任意箇所に雨水を給水する樋を形成したことを特徴とするモルタル・コンクリート構築物壁面の緑化工法。【選択図】図７
2010174578.tif 000002
【特許請求の範囲】
【請求項１】
植生マット上に一定間隔に植生土納袋を収納する収納部を設けた植生土納袋収納帯付植生マット体を、モルタル法面やコンクリート構築物壁面の適所に予め打設した固定具に固定し、植生土納袋収納部に植生基盤土を詰め込んだ植生土納袋を収納し、この植生土納袋にツタ・宿根草・花木苗等を植栽するとともにマット体にセダム苗を植栽し、該植生土納袋収納帯付植生マット体の任意箇所に雨水を給水する樋を形成し、モルタル・コンクリート構築物壁面を緑化することを特徴とするモルタル・コンクリート構築物壁面の緑化工法
。
【発明の詳細な説明】
【技術分野】
【０００１】
本発明は、潅水設備の設置が不可能なオーバーハングのあるモルタル法面や擁壁・柱状体などのコンクリート構築物壁面の緑化工法に関する。
【背景技術】
【０００２】
従来、法面を保護する場合には、種子付緑化製品の張付、種子散布、客土吹付、厚層基材吹付等による緑化保護を行い、種子付緑化製品の張付、種子散布、客土吹付、厚層基材吹付等による緑化が不可能な法面に対しては、セメントを使用したモルタル吹付、コンクリート吹付、現場打法枠等にて法面の保護を行っていた。
【０００３】
しかしながら、従来のセメントを使用した法面保護は、周囲の自然環境と調和せず景観上好ましいものとはいえない、さらにこのようなセメントを使用した構築物壁面は、直射日光により高温となって周囲の気温を上昇させ地球温暖化の一因ともなっている。
【０００４】
そこで、ネットで形成された袋体に緑化基盤材を充填し、モルタル法面等に袋体を固定してポット苗を植栽する緑化工法として特許文献１がある。しかし、法面のポイント的な植栽緑化には適しているが法面全体を短期間に緑化するには労力とコストがかかる問題があった。
【０００５】
本発明は、このような問題点を解決するために構築物壁面に安価で短期間に緑化が可能な植栽緑化工法を用いて植物を繁茂させ、該構築物壁面を周囲の自然環境と調和させ美観を高め、さらにヒートアイランド現象の発生を防止するモルタル・コンクリート構築物壁面の緑化工法の提供。
【特許文献１】特開２０００―１２００７２号公報
【発明の概要】
【発明が解決しようとする課題】
【０００６】
潅水設備の設置や緑化製品の固定が困難なモルタル法面や擁壁面等の緑化に使用できる新たな緑化基盤とその固定方法及び雨水の有効な取り込みを可能とする機材を開発し、花木や草本類の植栽で短期間に緑化を図る緑化工法の提供。
【課題を解決するための手段】
【０００７】
上記課題を解決するため、一定間隔で植生基盤土を収納できる収納部を形成した植生土納袋収納帯付植生マット体を緑化対象のモルタル法面やコンクリート構築物壁面の適所に予め打設した止具で固定し、マット内の生育基盤土が薄層でも生育可能なセダム類をマット体に植栽するとともに植生基盤土が収納されている植生土納袋にツタ・花木・宿根草苗等を植栽し、該植生土納袋収納帯付植生マット体の任意箇所に雨水を給水する樋を形成してなるモルタル・コンクリート構築物壁面の緑化工法。
【発明の効果】
【０００８】
雨水が当りにくいオーバーハングのあるモルタル法面や垂直な壁面でも大掛かりな給水設備を必要とせず雨水を取り込むことができ、なおかつ、全面的に生育基盤土を吹付する工法に比べハシゴ段状に生育基盤土層を設けたことにより生育基盤土の削減が図られ施工費が安価で構造物壁面を緑化することが可能となるモルタル・コンクリート構築物壁面の緑化工法である。
【０００９】
また、モルタル法面やコンクリート構築物の壁面を植生土納袋収納帯付植生マット体で覆い植栽緑化をすることにより、構造物は周囲の自然環境に融和し、景観の保全形成が図れ、直射日光を遮断し、ヒートアンランド現象の発生を防止できるモルタル・コンクリート構築物壁面の緑化工法である。
【図面の簡単な説明】
【００１０】
【図１】植生土納袋収納帯付植生マット体を示す斜視図である。
【図２】植生土納袋を示す斜視図である。
【図３】植生土納袋収納帯付植生マット体を固定する止具を示す斜視図である。
【図４】植生土納袋収納帯付植生マット体の固定状態を示す断面模試図である。
【図５】植生土納袋収納帯付植生マット体に植栽した状態を示す斜視図である。
【図６】竹樋を示す斜視図である。
【図７】植生土納袋収納帯付植生マット体に植栽と竹樋を設置した状態を示す完成図である。
【発明を実施するための形態】
【実施例】
【００１１】
以下、実施の形態を示す図面に基づき本発明を詳説する。
【００１２】
図１の（イ）は、下部ポリエチレン一重ネット１aの上に上部ポリエチレンの一重ネット１ｂを重ね、植生土納袋を収納する筒状帯の収納部１ｃをハシゴ状に一定間隔で形成し、下部ネットと上部ネットが一体化するように縫製形成した植生土納袋収納帯付二重ネット１である。
【００１３】
（ロ）は、腐食しにくいポリエチレンのネット状シート、その上にポリエステルの不織布を重ね底部を形成し、その底部上に基盤用土（ココピート・ピートモス・水苔・バーク堆肥・黒土に遅効性肥料・有機肥料・化成肥料を混合）を圧縮し、２ｃｍ〜５ｃｍ厚で敷き詰めその上にポリエステルの不織布、ポリエチレンのネット状シートの順に重ね上部を形成し、底部と上部が一体化するように縦横所定間隔で縫製形成した植生マット体２である。
【００１４】
（ハ）は、（イ）の一定間隔で植生土納袋が収納される筒状帯を形成した植生土納袋収納帯付二重ネット１と（ロ）の腐食しにくい材質で形成した植生マット体２を一体化するように縫製形成した植生土納袋収納帯付植生マット体３である。
【００１５】
図２は、植生土納袋収納帯付植生マット体に収納されるポリエステルの不織布袋帯に保水力と保肥力に優れた植生基盤土（ココピート・ピートモス・水苔・バーク堆肥・黒土に遅効性肥料・有機肥料・化成肥料を混合した植生基盤土）を収納した植生土納袋４である。
【００１６】
図３は、植生土納袋収納帯付植生マット体をモルタル法面や擁壁面等に固定設置するときに使用する止具を示すものである。従来、マット製品は製品の上からアンカーピン等の止具を打設して設置箇所に固定し、ドリルで削孔して固定する方法では削孔するドリルにマットが絡みつき施工が不可能であった。そこで、マット製品が絡みつくことなく構築物面に空間を設けること無く固定するために、前もって設置箇所の凹部分を主体にアンカーを打設し設置面側からマットを固定する。その手順として（イ）は、モルタルやコンクリートの内部に固定されるコンクリートアンカー５でモルタルやコンクリート面にコンクリートアンカーが挿入できる深さの穴を開けコンクリートアンカー５を打ち込むとそれにともない該コンクリートアンカー５下部に付帯している挿入杭５ａが該コンクリートアンカー５内部に打ち込まれ下部の切込み部５ｂが広がりモルタルやコンクリート内部に該コンクリートアンカー５が固定される。
【００１７】
（ロ）（ハ）は、モルタルやコンクリート内部１０に固定されたコンクリートアンカー５に寸切ボルト６を取付け、先端が鋭角なボルトカバー７で該寸切ボルト６を覆い、その上に植生土納袋収納帯付植生マット体３を押し当ててマット体を貫き後、該ボルトカバー７を外し、該寸切ボルト６にワッシャー８とボルトナット９を取付け、該植生土納袋収納帯付植生マット体３を固定する。
【００１８】
図４は、既存のモルタル法面でモルタル面１１に劣化や地山１２とモルタル面１１の間に空洞１３を生じている場合にコンクリートアンカー５の他にネジ山が設けられているアンカーで挿入先付近に鉤状の突起物を形成した長さ１ｍ前後の羽付アンカー１４を１平方メートル当り１本の割合で、モルタル面１１を貫き地山１２にマット体を押える長さ分を残し打設し、先端が鋭角なボルトカバー７で該羽付アンカーの露出している部分を覆い、その上に植生土納袋収納帯付植生マット体３を押し当ててマット体を貫き後、該ボルトカバーを外し、該羽付アンカーにワッシャーとボルトナットを取付け、該植生土納袋収納帯付植生マット体を固定する。
【００１９】
図５は、コンクリートアンカー等で壁面に設置された植生土納袋収納帯付植生マット体３の植生土納袋４に鋭角な刺具で穴を開け、ツタ１５やセダム１６苗を挿し木するように植栽し、該植生土納袋４以外のマット体部分にはセダム苗１６を同じように植栽し、該植生土納袋収納帯付植生マット体全体の緑化を図る。
【００２０】
図６は、植物に雨水を供給する設備として長さ２０ｃｍ前後の竹１７（篠竹等）を縦に半割りし、一方の先端部１８を植生土納袋収納帯付植生マット体に突き刺せるように鋭角に形成した竹樋１９である。なお、そのほかにストローや合成樹脂系のパイプを該竹と同じように縦に半割りし、加工して使用しても良い。
【００２１】
図７は、雨水を吸水しにくい垂直面やオーバーハング状の法面部に設置した植生土納袋収納帯付植生マット体３に植栽したツタ１５やセダム１６等の植物に雨水を供給する竹樋１９を約１０度の角度で該植生土納袋収納帯付植生マット体３の任意箇所に突き刺し、竹樋１９で受けた雨水を植物に給水する状態を示したもので、以上の図１から図７の手順でオーバーハングのあるモルタル法面や垂直面に近いコンクリート擁璧、柱状体の構築物の緑化を図る緑化工法である。
【産業上の利用可能性】
【００２２】
潅水設備の設置が不可能で従来緑化が困難なオーバーハング状のモルタル法面や垂直な擁壁面等の緑化に植生土納袋収納帯付植生マット体を設置面から固定し、雨水を給水する竹樋を使用した緑化工法は、短期間で緑化を図れ自然環境の復元工法として大いに利用される可能性が高いものである。
【符号の説明】
【００２３】
１    植生土納袋収納帯付二重ネット
１ａ  下部ポリエチレン一重ネット
１ｂ  上部ポリエチレン一重ネット
１ｃ  収納部
２    植生マット体
３    植生土納袋収納帯付植生マット体
４    植生土納袋
５    コンクリートアンカー
５ａ  挿入杭
５ｂ  切込み部
６    寸切ボルト
７    ボルトカバー
８    ワッシャー
９    ボルトナット
１０    モルタルやコンクリート内部
１１    モルタル面
１２    地山
１３    空洞
１４    羽付アンカー
１５    ツタ
１６    セダム
１７    竹
１８    鋭角
１９    竹樋
【図１】
2010174578.tif 000003
【図２】
2010174578.tif 000004
【図３】
2010174578.tif 000005
【図４】
2010174578.tif 000006
【図５】
2010174578.tif 000007
【図６】
2010174578.tif 000008
【図７】
2010174578.tif 000009